(57)【要約】【課題】エレベータの乗場での操作によって容易に乗場呼びおよび行先階登録を行なう。【解決手段】乗客が店舗案内板の所望の階床の案内表示部分に触れることで、この部分に沿う赤外線の受光素子６による受光が遮られると、受光状態管理部１４は当該受光素子６の受光素子ナンバおよび設置階床情報を認識し、当該認識した受光素子ナンバをもとに前述した所望の階床の案内表示部分の表面に沿って送信されていた赤外線７を受信していた受光素子６の受光素子ナンバに対応付けられる受光有無情報を「遮断」に書き換える。選択階床判別部１５は「遮断」になった受光有無情報に対応付けられる選択階床を判別する。乗場呼び登録部１６は、認識済みの設置階床の乗場呼び登録を行なう。行先階登録部１７は、乗場呼びの登録対象の乗りかごについて判別済みの選択階床の行先階登録を行なう。【選択図】      図３
2009215048.tif 000002
【特許請求の範囲】
【請求項１】
各階床の案内表示部分を有して乗場に設けられる案内板と、
送信光が前記案内板における各階床の案内表示部分の表面に沿うように各階床に対応して設けられる光送信手段と、
前記光送信手段により送信される光を受信する光受信手段と、
前記光受信手段による前記光送信手段からの光の受信が遮られた場合に、当該遮られた光が沿っていた前記案内板上の案内表示部分が対応する階床を判別する判別手段と、
前記遮られた光が沿っていた前記案内板の設置階床の乗場呼びおよび当該乗場呼びにより応答する乗りかごについての前記判別手段により判別した階床の行先階登録を行なう登録手段と
を備えたことを特徴とするエレベータ。
【請求項２】
前記案内板における各階床の案内表示部分の側に行先階登録確認灯を設け、
前記行先階登録手段により登録した行先階に対応する前記行先階登録確認灯を点灯させる点灯制御手段をさらに備えた
ことを特徴とする請求項１に記載のエレベータ。
【請求項３】
前記案内板における各階床の案内表示部分の側に前記乗りかごが当該階床に位置するか否かを示す乗場インジケータを設け、
前記乗りかごの位置に対応する前記乗場インジケータを点灯させる点灯制御手段をさらに備えた
ことを特徴とする請求項１に記載のエレベータ。
【発明の詳細な説明】
【技術分野】
【０００１】
本発明は、乗場に行先階登録装置が設けられるエレベータに関する。
【背景技術】
【０００２】
従来、エレベータにおける行先階登録方法としては、乗場ボタンとかご操作盤による登録方法が一般的である。この場合の利用者の行動としては、まず店舗案内板を見て目的の店舗と階床を確認し、目的の階床が現在の階床より上階か下階か判断する。そして、乗場ボタンのＵＰ釦やＤＯＷＮ釦を押して乗場呼びを登録する。そして、応答した乗りかごに乗り、かご操作盤の行先階ボタンを押して行先階登録を行なう。
【０００３】
また、行先階登録の方法としては、例えば特許文献１に開示されるように、タッチパネル式ディスプレイに店舗情報を表示させ、利用者に所望の店舗情報をタッチ選択させることにより行先階を登録する方法もある。
【特許文献１】特開平１１−１３９７０４号公報
【発明の開示】
【発明が解決しようとする課題】
【０００４】
しかしながら、エレベータの利用者は前述したように、店舗案内板で目的とする店舗と階床を見つけた後、行先階登録を行なうまでには、目的の階床と現在の階床との比較、乗場呼び釦のうち操作すべき釦の判断を行い、応答した乗りかごに乗り、かご操作盤の行先階ボタンを押す、といった複数の手順を経る必要がある。
【０００５】
また、前述したようにタッチパネル式ディスプレイによる行先階登録方法を用いれば乗場呼び登録および行先階登録を同時に行なうことができるが、高齢者などタッチパネルに不慣れな利用者が戸惑う可能性がある。また、従来からの店舗案内板を持っている場合で、タッチパネル式ディスプレイを後付けで導入する場合には、店舗案内板自体を交換しなければならない。
【０００６】
そこで、本発明の目的は、乗場での操作によって容易に乗場呼びおよび行先階登録を行なうことが可能になるエレベータを提供することにある。
【課題を解決するための手段】
【０００７】
すなわち、本発明に係わるエレベータは、各階床の案内表示部分を有して乗場に設けられる案内板と、送信光が案内板における各階床の案内表示部分の表面に沿うように各階床に対応して設けられる光送信手段と、光送信手段により送信される光を受信する光受信手段とを備え、光受信手段による光送信手段からの光の受信が遮られた場合に、当該遮られた光が沿っていた案内板上の案内表示部分が対応する階床を判別し、遮られた光が沿っていた案内板の設置階床の乗場呼びおよび当該乗場呼びにより応答する乗りかごについて判別済みの階床の行先階登録を行なうことを特徴とする。
【発明の効果】
【０００８】
本発明によれば、エレベータの乗場での操作によって容易に乗場呼びおよび行先階登録を行なうことができる。
【発明を実施するための最良の形態】
【０００９】
以下図面により本発明の実施形態について説明する。  
図１は、本発明の実施形態におけるエレベータの行先階登録装置の設置例を示す図である。  
本発明の実施形態におけるエレベータの行先階登録装置は、例えばデパートやショッピングセンター、商業施設などのエレベータホールに設置されている既存の店舗案内板に後付けで赤外線ユニットを設置することによりエレベータ利用者の利便性を向上させるものである。  
図１に示すように、各階床の乗場ボタン１には店舗案内板２を組み込んだ行先階登録装置３が接続される。また、行先階登録装置３はエレベータ制御盤１０と接続される。
【００１０】
図２は、本発明の実施形態におけるエレベータの行先階登録装置の正面図である。  
図２に示すように、行先階登録装置３には光送信手段である発光素子５（赤外線ＬＥＤ）と光受信手段である受光素子６（フォトダイオード）でなる赤外線ユニット４が店舗案内板２の周囲を囲むように取り付けられる。
【００１１】
発光素子５は赤外線７を送信し、当該送信された赤外線７を受光素子６が受光する。  
発光素子５と受光素子６とは対向して設置されており、エレベータ制御盤１０は赤外線７が遮断された位置８を検出する。  
図２に示した例では、店舗案内板２上に、上から下に向かった順に６階から１階までの６階床分についての店舗情報が階床ごとに区分して書かれている。
【００１２】
そして、発光素子５と受光素子６の組は赤外線７が店舗案内板２上の各階床の店舗情報が書かれる案内表示箇所の表面に沿って、かつ送受信方向が店舗案内板２の横方向となるように、各階床について個別に設けられる。  
例えば、発光素子５と受光素子６の第１の組は、この組で送受信される赤外線７が店舗案内板２の６階の店舗情報の表示部分に沿うように、店舗案内板２の６階の店舗情報の案内表示部分の両端から挟む形で設けられる。このようにして、乗客が店舗案内板２における６階の店舗情報の案内表示部分に触れる動作を行なった場合に、発光素子５と受光素子６の第１の組の間で送受信される赤外線７に触れて当該赤外線７が遮られるようになっている。
【００１３】
また、各階床に対応した発光素子５と受光素子６の組とは別に、赤外線７が店舗案内板２の表示部分に沿って、かつ送受信方向が店舗案内板２の縦方向となるように、発光素子５と受光素子６の組が３組設けられる。  
受光素子６は、発光素子５からの赤外線７を受光できなくなった場合、当該受光出来なくなった旨を示す通知信号をエレベータ制御盤１０に出力する。通知信号には出力元の受光素子６に固有の識別ナンバである受光素子ナンバおよび当該受光素子６の設置階床情報が含まれる。
【００１４】
図３は、本発明の実施形態におけるエレベータのエレベータ制御盤の構成例を示すブロック図である。  
エレベータ制御盤１０は、全体の処理動作を司る制御部１１、不揮発性メモリである記憶装置１２、受光信号入力部１３、受光状態管理部１４、選択階床判別部１５、乗場呼び登録部１６、行先階登録部１７を備え、それぞれがバス１８を介して相互に接続される
受光信号入力部１３は、受光素子６からの通知信号を入力する。  
受光状態管理部１４は受光信号入力部１３による通知信号の入力結果をもとに、各階床の各受光素子６による赤外線７の受信の有無を管理する。
【００１５】
選択階床判別部１５は、受光状態管理部１４により管理する情報をもとに、店舗案内板２上の案内表示部分のうち乗客により選択された案内表示部分が対応する階床である目的階を判別する。
【００１６】
乗場呼び登録部１６は、乗客により案内表示部分が触れられた店舗案内板２の設置階床の乗場呼び登録を行なう。  
行先階登録部１７は、乗場呼びにより応答する乗りかごについて、選択階床判別部１５により判別した階床の行先階登録を行なう。
【００１７】
また、記憶装置１２は受光情報記憶部１９を有する。図４は、本発明の実施形態におけるエレベータのエレベータ制御盤が管理する受光情報の構成例を表形式で示す図である。  
受光情報記憶部１９には受光情報が記憶される。図４に示したように、受光素子６の受光素子ナンバ、当該素子による赤外線７の受信の有無および当該素子が受光していない場合の乗客による店舗案内板２上の選択階床の情報が関連付けられて管理される。受光情報は各階床の行先階登録装置３の各受光素子６について個別に存在する。
【００１８】
図４に示した受光情報の受光素子ナンバ「Ａ」、「Ｂ」、「Ｃ」、「Ｄ」、「Ｅ」、「Ｆ」は図２に示した店舗案内板２上の「６階  レストラン」、「５階  書籍」、「４階  文具」、「３階  紳士服」、「２階  婦人服」、「１階  食品」の表示部分の表面に沿う赤外線７を受光する受光素子６の受光素子ナンバに１対１で対応する。また、図４に示した受光素子ナンバ「Ｇ」、「Ｈ」、「Ｉ」は図２に示した店舗案内板２上の表示部分の表面に沿って縦方向に送信される赤外線７を受信する、左端から右端に向かった各受光素子６の受光素子ナンバに１対１で対応する。
【００１９】
次に、図１に示した構成のエレベータの行先階登録にかかる動作について説明する。  
図５は、本発明の実施形態におけるエレベータの行先階登録にかかる処理動作の一例を示すフローチャートである。  
まず、図２に示した行先階登録装置３が１階に設置されているとして、初期状態では、行先階登録装置３の店舗案内板２の各階床に対応する受光素子６は赤外線７の受信を行なえており、通知信号がエレベータ制御盤１０に出力されていないとする。
【００２０】
まず、行先階登録装置３の店舗案内板２の「４階  文具」と書かれている案内表示部分に乗客が触れることで、この案内表示部分に沿う赤外線７の受光素子６による受光が遮られると（ステップＳ１のＹＥＳ）、当該受光素子６からの通知信号がエレベータ制御盤１０に出力される。
【００２１】
受光状態管理部１４は、受光信号入力部１３が通知信号を入力した場合に当該信号に含まれる受光素子ナンバおよび設置階床情報を認識することで、受光が遮られた受光素子６の設置階床を判別する（ステップＳ２）。
【００２２】
受光状態管理部１４は、当該認識した受光素子ナンバをもとに、記憶装置１２の受光情報記憶部１９に記憶される１階用の受光情報を書き換える。具体的には、受光状態管理部１４は、前述したように触れられた店舗案内板２の「４階  文具」の表示部分の表面に沿って送信されていた赤外線７を受信していた受光素子６の受光素子ナンバ「Ｄ」，「Ｈ」に１階用の受光情報において対応付けられる受光有無情報を「受光」から「遮断」に書き換える（ステップＳ３）。
【００２３】
そして、選択階床判別部１５は、書き換えられた受光情報において「遮断」になっている受光有無情報に対応付けられる選択階床を判別することで、前述したように触れられた店舗案内板２の表示部分が対応する階床である選択階床を判別する（ステップＳ４）。
【００２４】
図４に示した受光情報によれば、受光素子ナンバ「Ｄ」，「Ｇ」，「Ｈ」，「Ｉ」のうち少なくとも「Ｄ」の受光有無情報が「遮断」である場合、選択階床は「４Ｆ」となる。これにより、図２に示したように検出位置（タッチされた部分）８が判別できる。
【００２５】
乗場呼び登録部１６は、ステップＳ２の処理で認識された設置階床の乗場呼び登録を行なう（ステップＳ５）。  
そして、行先階登録部１７は、乗場呼び登録部１６による乗場呼びの登録対象の乗りかごについて、選択階床判別部１５がステップＳ４の処理で判別した階床の行先階登録を行なう（ステップＳ６）。
【００２６】
これにより、乗客により触れられた店舗案内板２の設置階床に乗りかごが応答し、かつ、当該乗りかごについて前述のように触れられた案内表示箇所に対応する目的階の行先階登録がなされる。
【００２７】
乗りかごが応答して目的階に向かって発車したら、受光状態管理部１４は、ステップＳ３の処理で書き換えた受光情報上の受光有無情報を元の「受光」に書き換えて初期化する（ステップＳ７）。
【００２８】
以上のように、本発明の実施形態におけるエレベータでは、乗客が店舗案内板２で目的とする店舗を見つけてその部分をタッチするという直感的な動作だけで、乗客がいる階床の乗場呼びおよび触れられた表示部分に対応する階床の行き先階登録がなされる。よって、乗客が従来行っていた、目的階が現在の階床より上の階か下の階かの判断、乗場呼び登録のための乗場釦のＵＰ釦やＤＯＷＮ釦の押下および乗りかご内のかご操作盤の行先階ボタンの押下といった複数の動作に代えて、乗場での案内板における所望の店舗の表示部分を選択するだけで足りるようになり、乗客がエレベータを利用する上での利便性が向上する。
【００２９】
また、このエレベータは、乗客が複数いて、各乗客の目的階が違っている場合でも各目的階の行先階登録が可能である。具体的には、受光状態管理部１４は、受光信号入力部１３が通知信号を入力した場合に当該信号に含まれる受光素子ナンバおよび設置階床情報を認識した結果、同一設置階床の受光素子ナンバが複数ある場合、当該認識した各受光素子ナンバをもとに、記憶装置１２の受光情報記憶部１９に記憶される該当階床の受光情報の受光有無情報を「受光」から「遮断」に書き換える。これにより各目的階の行き先階登録が可能となる。
【００３０】
図６は、本発明の実施形態における行先階登録装置の第２の構成例を示す正面図である。  
図６に示した構成では、図２に示した構成と比較して、行先階登録装置３における店舗案内板２の各階床の表示部分に対応する発光素子５の側に当該階床の行先階登録確認灯２０が設置される。
【００３１】
処理としては、行先階登録部１７が行先階登録確認灯２０の点灯制御手段として機能する。つまり、前述したステップＳ６の処理後、行先階登録部１７は乗場呼びがなされた階床に設置される行先階登録装置３における行先階登録を行なった階床の行先階登録確認灯２０を点灯させる。これにより、乗客は店舗案内板２において触れた表示部分に対応する目的階の行き先階登録がなされたことを容易に確認できる。また、行先階登録確認灯が設置されていなかった建物への当該行先階登録確認灯の機能の付加にも対応できる。
【００３２】
図７は、本発明の実施形態における行先階登録装置の第３の構成例を示す正面図である。  
図７に示した構成では、図２に示した構成と比較して、乗りかごが各階床のいずれに位置するかを示すための乗場インジケータ３０が行先階登録装置３における店舗案内板２の各階床の表示部分に対応する発光素子５の側に設置される。
【００３３】
処理としては、エレベータ制御盤１０が乗場インジケータ３０の点灯制御手段として機能する。つまり、前述したステップＳ５の処理後、エレベータ制御盤１０は乗場呼び登録部１６により乗場呼びがなされた乗りかごの現在位置を認識し、各階床に設置される行先階登録装置３における当該認識した階床に対応する乗場インジケータ３０を点灯させる。これにより、乗客は店舗案内板２に触れた後で現在の階床に向かう乗りかごの現在位置を容易に把握できる。また、乗場インジケータが設置されていなかった建物への当該乗場インジケータの機能の付加にも対応できる。
【００３４】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００３５】
【図１】本発明の実施形態におけるエレベータの行先階登録装置の設置例を示す図。
【図２】本発明の実施形態におけるエレベータの行先階登録装置の正面図。
【図３】本発明の実施形態におけるエレベータのエレベータ制御盤の構成例を示すブロック図。
【図４】本発明の実施形態におけるエレベータのエレベータ制御盤が管理する受光情報の構成例を表形式で示す図。
【図５】本発明の実施形態におけるエレベータの行先階登録にかかる処理動作の一例を示すフローチャート。
【図６】本発明の実施形態における行先階登録装置の第２の構成例を示す正面図。
【図７】本発明の実施形態における行先階登録装置の第３の構成例を示す正面図。
【符号の説明】
【００３６】
１…乗場ボタン、２…店舗案内板、３…行先階登録装置、４…赤外線ユニット、５…発光素子（赤外線ＬＥＤ）、６…受光素子（フォトダイオード）、７…赤外線、８…検出位置、１０…エレベータ制御盤、１１…制御部、１２…記憶装置、１３…受光信号入力部、１４…受光状態管理部、１５…選択階床判別部、１６…乗場呼び登録部、１７…行先階登録部、１８…バス、１９…受光情報記憶部、２０…行先階登録確認灯、３０…乗場インジケータ。
【図１】
2009215048.tif 000003
【図２】
2009215048.tif 000004
【図３】
2009215048.tif 000005
【図４】
2009215048.tif 000006
【図５】
2009215048.tif 000007
【図６】
2009215048.tif 000008
【図７】
2009215048.tif 000009